(57)【要約】      （修正有）【課題】つる植物やよじ登り植物を螺旋状の補助筋に沿ってはい登らせ、つる植物やよじ登り植物の付着力を向上することができ、つる植物やよじ登り植物の成長に有利であり、金属管の両端の口絞り処理で、強度を効果的に高め、据付時にも壊れ難くなる園芸用支柱を提供する。【解決手段】園芸用支柱は、金属管と、金属管の表面に被覆されるプラスチック層２とを含み、前記プラスチック層２の表面に、金属管に沿って軸方向に螺旋状に設置された少なくとも１本の補助筋２１を有し、金属管の両端にカバー４をそれぞれ有している。【選択図】図１
0003208268.tif 000002
【実用新案登録請求の範囲】
【請求項１】
金属管と、前記金属管の表面に被覆されるプラスチック層とを含み、前記プラスチック層の表面に、前記金属管に沿って軸方向に螺旋状に設置された少なくとも１本の補助筋を有し、前記金属管の両端にカバーをそれぞれ有することを特徴とする、
植物の成長に合わせた園芸用支柱。
【請求項２】
前記補助筋の数は３〜４本であることを特徴とする、
請求項１に記載の植物の成長に合わせた園芸用支柱。
【請求項３】
前記補助筋は、前記プラスチック層の表面に対して波形を呈していることを特徴とする、
請求項１又は２に記載の植物の成長に合わせた園芸用支柱。
【請求項４】
前記金属管の両端は口絞り状を呈していることを特徴とする、
請求項１に記載の植物の成長に合わせた園芸用支柱。
【請求項５】
前記金属管の口絞り状は円錐台形であることを特徴とする、
請求項４に記載の植物の成長に合わせた園芸用支柱。
【請求項６】
螺旋状に設置された前記補助筋の螺旋ピッチは５０〜２００センチメートルであることを特徴とする、
請求項１に記載の植物の成長に合わせた園芸用支柱。
【請求項７】
前記金属管の長さは１５０センチメートルであり、螺旋状に設置された前記補助筋の螺旋ピッチは６０〜１００センチメートルであることを特徴とする、
請求項１に記載の植物の成長に合わせた園芸用支柱。
【請求項８】
前記カバーが、鋭い尖端カバーまたはフラットエンドカバーであることを特徴とする、
請求項１に記載の植物の成長に合わせた園芸用支柱。
【請求項９】
請求項１〜８のいずれか１項に記載の植物の成長に合わせた園芸用支柱の生産方法であって、
１）金属管を用意し、プラスチック被覆機にて１層のプラスチック層を前記金属管にホットラミネートし、螺旋状の補助筋が形成されるように前記金属管を回転しながらプラスチック被覆機内のプラスチック被覆型ヘッドを通すステップと、
２）プラスチック被覆の完了した前記金属管を所定の長さに切るステップと、
３）熱ナイフで前記金属管の両端における前記プラスチック層のそれぞれを剥がし去って金属部分を露出させ、露出した金属部分にフラットエンドカバーとプラスチック尖端カバーとをそれぞれホットラミネートするステップと、
４）検査に合格すると、完成品とするステップと、
を含むことを特徴とする園芸用支柱の生産方法。
【請求項１０】
前記金属管の両端の前記プラスチック層を剥がし去った後に、その端部の口径が前記金属管の管体の直径よりも小さくなるように、金属部分の先端に対して押出し口絞り加工することを特徴とする、
請求項９に記載の園芸用支柱の生産方法。
【考案の詳細な説明】
【技術分野】
【０００１】
本考案は、ブラケット技術分野に関し、特に植物の成長に合わせた園芸用支柱及びその生産方法に関する。
【背景技術】
【０００２】
農業生産分野では、つる植物やよじ登り植物の成長に合わせるために、農民たちはウッドまたは竹竿で棚をかけるのが一般である。よく見かけるのはヘチマ、インゲン豆やトマト等である。これらのウッドまたは竹竿は環境保護的であったが、風雨や日光にさらされた後に劣化し破断してしまうことになる。これは植物の成長に不利であるばかりでなく、一回限りの使用なので、ウッドまたは竹竿が大量に浪費される。そして、草花飾り分野でも、花棚で草花定形を補助する必要がある。
【０００３】
そこで、農業生産と草花栽培向けに専門に設計した園芸用支柱が提案され、この園芸用支柱は、金属管と、金属管上に被覆されるプラスチック層とを含み、金属管の両端にプラスチックカバーをそれぞれ実装し、その中、一方のプラスチックカバーは土壌に差し込みやすい棘状であり、他方のプラスチックカバーはフラット状である。金属管の部分は通常の直管またはエルボ管であり、作業中、園芸用支柱を土壌に差込む時に、金槌でフラット状のプラスチックカバーを敲く必要があり、力が大きすぎると、プラスチックカバーが破損してしまうため、金属管が空気にさらされ、時間が経つと酸化し、使用寿命を影響するようになる。
【０００４】
つる植物やよじ登り植物は、成長過程中、園芸用支柱にはい登るが、通常、プラスチック層が滑らかであるため、植物のはい登り力が不足となって、その成長を影響するようになった。また、プラスチック層の表面をすり処理する方式やプラスチック層の表面にあばたを加工する方式もあったが、いずれも役に立たなかった。
【考案の概要】
【考案が解決しようとする課題】
【０００５】
本考案は、従来の園芸用支柱がつる植物やよじ登り植物の成長に不利であった技術課題を克服し、つる植物やよじ登り植物を螺旋状に設置された補助筋に沿って上に成長させることができる植物の成長に合わせた園芸用支柱を提供することを課題とする。
【課題を解決するための手段】
【０００６】
本考案は、その技術課題を解決するため、金属管と、金属管の表面に被覆されるプラスチック層とを含み、前記プラスチック層の表面に、金属管に沿って軸方向に螺旋状に設置された少なくとも１本の補助筋を有し、金属管の両端にカバーをそれぞれ有する植物の成長に合わせた園芸用支柱を提案している。螺旋状に設置された補助筋は、つる植物やよじ登り植物の成長勢いにもっと合致なものである。
【０００７】
さらに、前記補助筋の数は３〜４本である。補助筋の数は多すぎなくてよいが、好ましい数は３〜４本である。
【０００８】
さらに、つる植物やよじ登り植物がはい登りやすくなるように、前記補助筋は、プラスチック層の表面に対して波形を呈している。即ち、凹凸形になって、つる植物やよじ登り植物の補助筋における付着力を向上し、つる植物やよじ登り植物がはい登りやすくなり、風雨にさらされても落ちにくくなる。
【０００９】
さらに、園芸用支柱の構造強度を高めるために、前記金属管の両端は口絞り状を呈している。口絞り状になった後、金属管の部分の強度が高くなり、敲いて据付時に壊れにくくなる。
【００１０】
好ましいことは、前記金属管の口絞り状は円錐台形である。
【００１１】
さらに、前記螺旋状に設置された補助筋の螺旋ピッチは５０〜２００センチメートルである。
【００１２】
好ましいことは、前記金属管の長さは１５０センチメートルであり、前記螺旋状に設置された補助筋の螺旋ピッチは６０〜１００センチメートルである。
【００１３】
好ましいことは、前記カバーが尖端カバーまたはフラットエンドカバーである。
【００１４】
前記した植物の成長に合わせた園芸用支柱の生産方法であって、
１）金属管を用意し、プラスチック被覆機にて１層のプラスチック層を金属管にホットラミネートし、螺旋状の補助筋が形成されるように金属管を回転しながらプラスチック被覆機内のプラスチック被覆型ヘッドを通せるステップと、
２）プラスチック被覆完了の金属管を所定の長さに切るステップと、
３）熱ナイフで金属管の両端におけるプラスチック層のそれぞれを剥がし去って金属部分を露出させ、露出した金属部分にフラットエンドカバーとプラスチック尖端カバーとをそれぞれホットラミネートするステップと、
４）検査に合格すると、完成品とするステップと、を含んでいる。
前記金属管の両端のプラスチック層を剥がし去った後に、その端部の口径が金属管の管体の直径よりも小さくなるように、金属部分の先端に対して押出し口絞り加工する。
【考案の効果】
【００１５】
本考案による植物の成長に合わせた園芸用支柱は、プラスチック被覆層に螺旋状に設置された補助筋を追加することで、つる植物やよじ登り植物を螺旋状の補助筋に沿ってはい登らせ、つる植物やよじ登り植物の付着力を向上することができ、つる植物やよじ登り植物の成長に有利であり、金属管の両端の口絞り処理で、強度を効果的に高め、据付時にも壊れ難くなるというメリットがある。
【００１６】
以下、本考案について図面及び実施例に基づいてさらに説明する。
【図面の簡単な説明】
【００１７】
【図１】本考案の植物の成長に合わせた園芸用支柱の好ましい実施例の構造模式図である。
【図２】本考案の植物の成長に合わせた園芸用支柱の好ましい実施例の分解図である。
【図３】本考案の植物の成長に合わせた園芸用支柱の別の実施例の立体図である。
【図４】図３におけるA箇所の拡大図である。
【考案を実施するための形態】
【００１８】
以下、図面を参照しながら本考案をさらに詳しく説明する。これらの図面はいずれも簡略化した模式図であり、本考案の基本構造を模式的に説明することに過ぎない。それ故、本考案に関係する構成しか表示していない。
【００１９】
図１と図２に示すように、本考案は植物の成長に合わせた園芸用支柱は、金属管１と、金属管１の表面に被覆されるプラスチック層２とを含み、前記プラスチック層２の表面に、金属管１に沿って軸方向に螺旋状に設置された少なくとも１本の補助筋２１を有し、金属管１の両端にカバーをそれぞれ有し、カバーは、尖端カバー３またはフラットエンドカバー４である。螺旋状に設置された補助筋２１は、つる植物やよじ登り植物の成長勢いにもっと合致なものである。
【００２０】
さらに、前記補助筋２１の数は３〜４本である。補助筋２１の数は多すぎなくてよい、好ましい数は３〜４本である。
【００２１】
図３と図４に示すように、つる植物やよじ登り植物がはい登りやすくなるように、前記補助筋２１は、プラスチック層２の表面に対して波形を呈している。即ち、凹凸形になって、つる植物やよじ登り植物がはい登りやすくなる。
【００２２】
さらに、園芸用支柱の構造強度を高めるために、前記金属管１の両端は口絞り状を呈している。口絞り状になった後、金属管１の部分の強度が高くなり、敲いて据付時に壊れにくくなる。
【００２３】
好ましいことは、前記金属管１の口絞り状は円錐台形である。
【００２４】
さらに、前記螺旋状に設置された補助筋２１の螺旋ピッチは５０〜２００センチメートルである。
【００２５】
好ましいことは、前記金属管１の長さは１５０センチメートルであり、前記螺旋状に設置された補助筋２１の螺旋ピッチは６０〜１００センチメートルである。
【００２６】
図中の園芸用支柱は、数本が連結されて骨組みを形成してよい。本考案の園芸用支柱を採用して骨組みを構築すると、つる植物やよじ登り植物が支柱に沿ってはい登り、補助筋の援助で付着力が向上され、よりうまく上に成長し、もっと多くの光を汲み取ることができる。
【００２７】
前記した植物の成長に合わせた園芸用支柱の生産方法であって、
１）金属管を用意し、プラスチック被覆機にて１層のプラスチック層を金属管にホットラミネートし、螺旋状の補助筋が形成されるように金属管を回転しながらプラスチック被覆機内のプラスチック被覆型ヘッドを通せるステップと、
２）プラスチック被覆完了の金属管を所定の長さに切るステップと、
３）熱ナイフで金属管の両端におけるプラスチック層のそれぞれを剥がし去って金属部分を露出させ、露出した金属部分にフラットエンドカバーとプラスチック尖端カバーとをそれぞれホットラミネートするステップと、
４）検査に合格すると、完成品とするステップと、を含んでいる。
さらに、前記金属管の両端のプラスチック層を剥がし去った後に、その端部の口径が金属管の管体の直径よりも小さくなるように、金属部分の先端に対して押出し口絞り加工する。
【００２８】
本考案の採用したプラスチック被覆機は、機体を含み、機体にはプラスチック被覆型ヘッドが設けられ、フィラー供給装置をよってプラスチック被覆型ヘッドへ溶融したプラスチック材料を提供し、プラスチック被覆型ヘッドには金属管が通されるオリフィスがあり、オリフィス上の成形穴をよって金属管へプラスチックを被覆し、快速に冷却装置を通過させてプラスチックの温度を下げて固化させ、金属管の移動中で、プラスチック被覆型ヘッドを回転させて、プラスチック層の表面に螺旋状の補助筋を形成する。
【００２９】
当業者であれば、上記した本考案による好ましい実施例を啓発に、上記の説明内容に従って、本考案の技術思想を逸脱しない範囲内において、種々の変更や修正が可能であることは勿論である。本考案の技術的範囲は説明書における内容に限られるものではなく、特許請求の範囲に基づいてその技術的範囲を確定すべきである。
【符号の説明】
【００３０】
１  金属管
２  プラスチック層
２１  補助筋
３  尖端カバー
４  フラットエンドカバー。
【図１】
0003208268.tif 000003
【図２】
0003208268.tif 000004
【図３】
0003208268.tif 000005
【図４】
0003208268.tif 000006
【手続補正書】
【提出日】平成28年7月19日(2016.7.19)
【手続補正１】
【補正対象書類名】実用新案登録請求の範囲
【補正対象項目名】全文
【補正方法】変更
【補正の内容】
【実用新案登録請求の範囲】
【請求項１】
金属管と、前記金属管の表面に被覆されるプラスチック層とを含み、前記プラスチック層の表面に、前記金属管に沿って軸方向に螺旋状に設置された少なくとも１本の補助筋を有し、前記金属管の両端にカバーをそれぞれ有することを特徴とする、
植物の成長に合わせた園芸用支柱。
【請求項２】
前記補助筋の数は３〜４本であることを特徴とする、
請求項１に記載の植物の成長に合わせた園芸用支柱。
【請求項３】
前記補助筋は、前記プラスチック層の表面に対して波形を呈していることを特徴とする、
請求項１又は２に記載の植物の成長に合わせた園芸用支柱。
【請求項４】
前記金属管の両端は口絞り状を呈していることを特徴とする、
請求項１に記載の植物の成長に合わせた園芸用支柱。
【請求項５】
前記金属管の口絞り状は円錐台形であることを特徴とする、
請求項４に記載の植物の成長に合わせた園芸用支柱。
【請求項６】
螺旋状に設置された前記補助筋の螺旋ピッチは５０〜２００センチメートルであることを特徴とする、
請求項１に記載の植物の成長に合わせた園芸用支柱。
【請求項７】
前記金属管の長さは１５０センチメートルであり、螺旋状に設置された前記補助筋の螺旋ピッチは６０〜１００センチメートルであることを特徴とする、
請求項１に記載の植物の成長に合わせた園芸用支柱。
【請求項８】
前記カバーが、鋭い尖端カバーまたはフラットエンドカバーであることを特徴とする、
請求項１に記載の植物の成長に合わせた園芸用支柱。
【手続補正２】
【補正対象書類名】明細書
【補正対象項目名】全文
【補正方法】変更
【補正の内容】
【考案の詳細な説明】
【技術分野】
【０００１】
本考案は、ブラケット技術分野に関し、特に植物の成長に合わせた園芸用支柱に関する。
【背景技術】
【０００２】
農業生産分野では、つる植物やよじ登り植物の成長に合わせるために、農民たちはウッドまたは竹竿で棚をかけるのが一般である。よく見かけるのはヘチマ、インゲン豆やトマト等である。これらのウッドまたは竹竿は環境保護的であったが、風雨や日光にさらされた後に劣化し破断してしまうことになる。これは植物の成長に不利であるばかりでなく、一回限りの使用なので、ウッドまたは竹竿が大量に浪費される。そして、草花飾り分野でも、花棚で草花定形を補助する必要がある。
【０００３】
そこで、農業生産と草花栽培向けに専門に設計した園芸用支柱が提案され、この園芸用支柱は、金属管と、金属管上に被覆されるプラスチック層とを含み、金属管の両端にプラスチックカバーをそれぞれ実装し、その中、一方のプラスチックカバーは土壌に差し込みやすい棘状であり、他方のプラスチックカバーはフラット状である。金属管の部分は通常の直管またはエルボ管であり、作業中、園芸用支柱を土壌に差込む時に、金槌でフラット状のプラスチックカバーを敲く必要があり、力が大きすぎると、プラスチックカバーが破損してしまうため、金属管が空気にさらされ、時間が経つと酸化し、使用寿命を影響するようになる。
【０００４】
つる植物やよじ登り植物は、成長過程中、園芸用支柱にはい登るが、通常、プラスチック層が滑らかであるため、植物のはい登り力が不足となって、その成長を影響するようになった。また、プラスチック層の表面をすり処理する方式やプラスチック層の表面にあばたを加工する方式もあったが、いずれも役に立たなかった。
【考案の概要】
【考案が解決しようとする課題】
【０００５】
本考案は、従来の園芸用支柱がつる植物やよじ登り植物の成長に不利であった技術課題を克服し、つる植物やよじ登り植物を螺旋状に設置された補助筋に沿って上に成長させることができる植物の成長に合わせた園芸用支柱を提供することを課題とする。
【課題を解決するための手段】
【０００６】
本考案は、その技術課題を解決するため、金属管と、金属管の表面に被覆されるプラスチック層とを含み、前記プラスチック層の表面に、金属管に沿って軸方向に螺旋状に設置された少なくとも１本の補助筋を有し、金属管の両端にカバーをそれぞれ有する植物の成長に合わせた園芸用支柱を提案している。螺旋状に設置された補助筋は、つる植物やよじ登り植物の成長勢いにもっと合致なものである。
【０００７】
さらに、前記補助筋の数は３〜４本である。補助筋の数は多すぎなくてよいが、好ましい数は３〜４本である。
【０００８】
さらに、つる植物やよじ登り植物がはい登りやすくなるように、前記補助筋は、プラスチック層の表面に対して波形を呈している。即ち、凹凸形になって、つる植物やよじ登り植物の補助筋における付着力を向上し、つる植物やよじ登り植物がはい登りやすくなり、風雨にさらされても落ちにくくなる。
【０００９】
さらに、園芸用支柱の構造強度を高めるために、前記金属管の両端は口絞り状を呈している。口絞り状になった後、金属管の部分の強度が高くなり、敲いて据付時に壊れにくくなる。
【００１０】
好ましいことは、前記金属管の口絞り状は円錐台形である。
【００１１】
さらに、前記螺旋状に設置された補助筋の螺旋ピッチは５０〜２００センチメートルである。
【００１２】
好ましいことは、前記金属管の長さは１５０センチメートルであり、前記螺旋状に設置された補助筋の螺旋ピッチは６０〜１００センチメートルである。
【００１３】
好ましいことは、前記カバーが尖端カバーまたはフラットエンドカバーである。
【００１４】
前記した植物の成長に合わせた園芸用支柱の生産方法であって、
１）金属管を用意し、プラスチック被覆機にて１層のプラスチック層を金属管にホットラミネートし、螺旋状の補助筋が形成されるように金属管を回転しながらプラスチック被覆機内のプラスチック被覆型ヘッドを通せるステップと、
２）プラスチック被覆完了の金属管を所定の長さに切るステップと、
３）熱ナイフで金属管の両端におけるプラスチック層のそれぞれを剥がし去って金属部分を露出させ、露出した金属部分にフラットエンドカバーとプラスチック尖端カバーとをそれぞれホットラミネートするステップと、
４）検査に合格すると、完成品とするステップと、を含んでいる。
前記金属管の両端のプラスチック層を剥がし去った後に、その端部の口径が金属管の管体の直径よりも小さくなるように、金属部分の先端に対して押出し口絞り加工する。
【考案の効果】
【００１５】
本考案による植物の成長に合わせた園芸用支柱は、プラスチック被覆層に螺旋状に設置された補助筋を追加することで、つる植物やよじ登り植物を螺旋状の補助筋に沿ってはい登らせ、つる植物やよじ登り植物の付着力を向上することができ、つる植物やよじ登り植物の成長に有利であり、金属管の両端の口絞り処理で、強度を効果的に高め、据付時にも壊れ難くなるというメリットがある。
【００１６】
以下、本考案について図面及び実施例に基づいてさらに説明する。
【図面の簡単な説明】
【００１７】
【図１】本考案の植物の成長に合わせた園芸用支柱の好ましい実施例の構造模式図である。
【図２】本考案の植物の成長に合わせた園芸用支柱の好ましい実施例の分解図である。
【図３】本考案の植物の成長に合わせた園芸用支柱の別の実施例の立体図である。
【図４】図３におけるA箇所の拡大図である。
【考案を実施するための形態】
【００１８】
以下、図面を参照しながら本考案をさらに詳しく説明する。これらの図面はいずれも簡略化した模式図であり、本考案の基本構造を模式的に説明することに過ぎない。それ故、本考案に関係する構成しか表示していない。
【００１９】
図１と図２に示すように、本考案は植物の成長に合わせた園芸用支柱は、金属管１と、金属管１の表面に被覆されるプラスチック層２とを含み、前記プラスチック層２の表面に、金属管１に沿って軸方向に螺旋状に設置された少なくとも１本の補助筋２１を有し、金属管１の両端にカバーをそれぞれ有し、カバーは、尖端カバー３またはフラットエンドカバー４である。螺旋状に設置された補助筋２１は、つる植物やよじ登り植物の成長勢いにもっと合致なものである。
【００２０】
さらに、前記補助筋２１の数は３〜４本である。補助筋２１の数は多すぎなくてよい、好ましい数は３〜４本である。
【００２１】
図３と図４に示すように、つる植物やよじ登り植物がはい登りやすくなるように、前記補助筋２１は、プラスチック層２の表面に対して波形を呈している。即ち、凹凸形になって、つる植物やよじ登り植物がはい登りやすくなる。
【００２２】
さらに、園芸用支柱の構造強度を高めるために、前記金属管１の両端は口絞り状を呈している。口絞り状になった後、金属管１の部分の強度が高くなり、敲いて据付時に壊れにくくなる。
【００２３】
好ましいことは、前記金属管１の口絞り状は円錐台形である。
【００２４】
さらに、前記螺旋状に設置された補助筋２１の螺旋ピッチは５０〜２００センチメートルである。
【００２５】
好ましいことは、前記金属管１の長さは１５０センチメートルであり、前記螺旋状に設置された補助筋２１の螺旋ピッチは６０〜１００センチメートルである。
【００２６】
図中の園芸用支柱は、数本が連結されて骨組みを形成してよい。本考案の園芸用支柱を採用して骨組みを構築すると、つる植物やよじ登り植物が支柱に沿ってはい登り、補助筋の援助で付着力が向上され、よりうまく上に成長し、もっと多くの光を汲み取ることができる。
【００２７】
前記した植物の成長に合わせた園芸用支柱の生産方法であって、
１）金属管を用意し、プラスチック被覆機にて１層のプラスチック層を金属管にホットラミネートし、螺旋状の補助筋が形成されるように金属管を回転しながらプラスチック被覆機内のプラスチック被覆型ヘッドを通せるステップと、
２）プラスチック被覆完了の金属管を所定の長さに切るステップと、
３）熱ナイフで金属管の両端におけるプラスチック層のそれぞれを剥がし去って金属部分を露出させ、露出した金属部分にフラットエンドカバーとプラスチック尖端カバーとをそれぞれホットラミネートするステップと、
４）検査に合格すると、完成品とするステップと、を含んでいる。
さらに、前記金属管の両端のプラスチック層を剥がし去った後に、その端部の口径が金属管の管体の直径よりも小さくなるように、金属部分の先端に対して押出し口絞り加工する。
【００２８】
本考案の採用したプラスチック被覆機は、機体を含み、機体にはプラスチック被覆型ヘッドが設けられ、フィラー供給装置をよってプラスチック被覆型ヘッドへ溶融したプラスチック材料を提供し、プラスチック被覆型ヘッドには金属管が通されるオリフィスがあり、オリフィス上の成形穴をよって金属管へプラスチックを被覆し、快速に冷却装置を通過させてプラスチックの温度を下げて固化させ、金属管の移動中で、プラスチック被覆型ヘッドを回転させて、プラスチック層の表面に螺旋状の補助筋を形成する。
【００２９】
当業者であれば、上記した本考案による好ましい実施例を啓発に、上記の説明内容に従って、本考案の技術思想を逸脱しない範囲内において、種々の変更や修正が可能であることは勿論である。本考案の技術的範囲は説明書における内容に限られるものではなく、特許請求の範囲に基づいてその技術的範囲を確定すべきである。
【符号の説明】
【００３０】
１  金属管
２  プラスチック層
２１  補助筋
３  尖端カバー
４  フラットエンドカバー。